(57)【特許請求の範囲】
【請求項１】
座部と、該座部を支持するガスシリンダと、該ガスシリンダを操作するためのペダルを備え、前記ペダルを押し下げることによって前記ガスシリンダの伸縮動作を可能にした術者用椅子であって、
前記ガスシリンダを中心に回動自在な誤操作防止用カバー部材が、前記ペダルの上部に進退可能に設けられていることを特徴とする術者用椅子。
【請求項２】
前記術者用椅子は複数の脚を有し、前記ペダルは複数の前記脚のうちの２本の前記脚の間に配置され、前記誤操作防止用カバー部材が、前記ガスシリンダを中心に複数の前記脚の上部に設けた足置きの上部に沿って回動可能に設けられていることを特徴とする請求項１に記載の術者用椅子。
【請求項３】
前記誤操作防止用カバー部材は、前記ペダルの操作後には自動的に、バネ部材によって前記ペダルの上部を覆う位置に静止するように付勢されていることを特徴とする請求項１または２に記載の術者用椅子。
【請求項４】
前記ペダルの上部から離間した位置で前記誤操作防止用カバー部材をロックするロック機構を設けたことを特徴とする請求項３に記載の術者用椅子。
【請求項５】
前記ペダルはバネ部材によって上方に付勢されており、押し下げ動作時に足を離すと静止位置よりも上側に跳ね上がり、前記ペダルの跳ね上がり動作によって前記ロック機構のロックが解除されることを特徴とする請求項４に記載の術者用椅子。
【発明の詳細な説明】
【技術分野】
【０００１】
本発明は、術者用椅子に関し、詳しくは、昇降可能な術者用椅子の誤操作による座部の下降を防止した術者用椅子に関する。
【背景技術】
【０００２】
座部の高さ調整可能な椅子として、座部を支持する支柱部にガスシリンダ（あるいはガススプリング）を用い、ガスシリンダを座部の下方に設けた操作部を操作することにより行うものが知られている（例えば、特許文献１参照）。このような高さ調整可能な椅子は、操作部としてのレバーを手で操作することによって行うものが主流であるが、医科あるいは歯科に用いられる術者用椅子の場合、衛生面から手での操作を避けるため、ペダルを用いて足で操作するものが求められている。
【先行技術文献】
【特許文献】
【０００３】
【特許文献１】特開２００５−１３６０２号公報
【発明の概要】
【発明が解決しようとする課題】
【０００４】
座部の高さ調整をペダルの押し下げ動作によって行う椅子は、着座していない状態でペダルを押し下げると、ガスシリンダに設けたプッシュバルブが押し込まれガスシリンダ内のオイルの移動が可能となり、内部に封入したガスの圧力によって座部が上昇するようになっており、また、着座した状態でペダルを押し下げると、同じくガスシリンダ内のオイルの移動が可能となるが、内部に封入したガスの圧力よりも利用者の体重と座部等の重量が大きくなるように設定されているため、座部が下降するようになっている。そして、ペダルを押し下げない場合は、ガスシリンダ内のオイルの移動が阻止されるため、座面の高さが調整後の高さに維持される。
【０００５】
このため、診療中に術者が意図せずにペダルを押し下げてしまった場合には、座部が下降してしまい、術者を驚かせるだけでなく、治療機器で患者に怪我を負わせるケースがあった。
【０００６】
本発明は、これらの実情に鑑みてなされたものであり、術者用椅子に昇降用のペダルが押し下げられるのを防止する誤操作防止機構を設け、さらに、この誤操作防止機構が自動的に機能するようにすることによって、術中に意図せずに座部が下降することがない安全な術者用椅子を提供することを、その目的とする。
【課題を解決するための手段】
【０００７】
上記課題を解決するために、請求項１の発明は、座部と、該座部を支持するガスシリンダと、該ガスシリンダを操作するためのペダルを備え、前記ペダルを押し下げることによって前記ガスシリンダの伸縮動作を可能にした術者用椅子であって、前記ガスシリンダを中心に回動自在な誤操作防止用カバー部材が、前記ペダルの上部に進退可能に設けられていることを特徴とするものである。
【０００８】
請求項２の発明は、請求項１の発明において、前記術者用椅子は複数の脚を有し、前記ペダルは複数の前記脚のうちの２本の前記脚の間に配置され、前記誤操作防止用カバー部材が、前記ガスシリンダを中心に複数の前記脚の上部に設けた足置きの上部に沿って回動可能に設けられていることを特徴とするものである。
【０００９】
請求項３の発明は、第１または第２の発明において、前記誤操作防止用カバー部材は、バネ部材によって前記ペダルの上部を覆う位置に静止するように付勢されていることを特徴とするものである。
【００１０】
請求項４の発明は、請求項３の発明において、前記ペダルの上部から離間した位置で前記誤操作防止用カバー部材をロックするロック機構を設けたことを特徴とするものである。
【００１１】
請求項５の発明は、請求項４の発明において、前記ペダルはバネ部材によって上方に付勢されており、押し下げ動作時に足を離すと静止位置よりも上側に跳ね上がり、前記ペダルの跳ね上がり動作によって前記ロック機構のロックが解除されることを特徴とするものである。
【発明の効果】
【００１２】
本発明によれば、ペダルの誤操作防止用カバーを設けることにより、ペダルの操作後において、ペダルが押し下げられるのを防止でき、意図せずに座部が下降することがない安全な術者用椅子を提供することができる。
【図面の簡単な説明】
【００１３】
【図１】本発明が適用される術者用椅子を説明するための図である。
【図２】本発明の一実施形態に係る術者用椅子の主要部を示す図である。
【図３】図２に示す術者用椅子から誤操作防止用カバーを取り除いた場合を示す図である。
【図４】図２に示す術者用椅子の誤操作防止用カバーがロックされた状態を示す図である。
【図５】図２に示す術者用椅子を側面から見た図である。
【図６】図２に示す術者用椅子を底部から見た図である。
【図７】図２に示す術者用椅子の誤操作防止用カバーのロック機構の動作を説明するための模式図である。
【発明を実施するための形態】
【００１４】
以下、図面を参照しながら、本発明の術者用椅子に係る好適な実施の形態について説明する。以下の説明において、異なる図面においても同じ符号を付した構成は同様のものであるとして、その説明を省略する場合がある。
【００１５】
まず、本発明が適用される術者用椅子について説明する。図１は、本発明が適用される術者用椅子を示しており、本発明のペダルの誤操作防止用カバー部材を設けていない状態を示している。術者用椅子１は、座部２を有し、座部２は、支柱部となるガスシリンダ１０を介して、キャスタ１２付きの複数の脚１１に支持されている。また、座部２に対して支柱３を介して背当て４が取り付けられるとともに、座部２の左右両側に回動可能に支持された肘受５が設けられている。
【００１６】
脚１１の上部にはリング状の足置き１３が設けられ、２本の脚１１の間には、ガスシリンダ１０を操作するための昇降用のペダル２０が配置されている。このペダル２０を踏み込む（押し下げる）ことにより、ペダルを支持するアーム２１が回動し、ガスシリンダ１０の図示しないプッシュロッドが押し込まれる。これによって、ガスシリンダ１０内の制御弁が開放され、内部のオイルの移動が可能となって、ガスシリンダ１０の伸縮動作が行えるようになっている。このようなガスシリンダ１０の構成は周知のものであり、本発明の術者用椅子にも周知のガスシリンダを用いることができる。なお、ペダル２０は所定のストロークを踏み込んだ後に、ガスシリンダのプッシュロッドが押し込まれるように、適当な遊びを設けておくことが操作の上で望ましい。
【００１７】
また、ペダル２０を支持するアーム２１は図示しないバネ部材によって上方の静止位置に位置するように付勢されている。そして、ペダル２０に力を加えない場合にペダル２０は静止位置にあるが、ペダル２０を押し下げた位置から足を離すと、ペダル２０とアーム２１はバネ部材の反発力によって静止位置よりもさらに上方に跳ね上がり、その後、静止位置に戻るように構成されている。これは、アーム２１がペダル２０の静止位置よりも上方にまで移動できるようにしておくことによって達成できる。
【００１８】
次に、本発明の誤操作防止用カバー部材とその進退機構について説明する。図２は、本発明の一実施形態に係る術者用椅子の主要部を示す図であり、ペダルが誤操作防止用カバー部材によって覆われている状態を示している。図２（Ａ）は斜視図であり、図２（Ｂ）は上部から見た図である。また、図３は、図２（Ｂ）から誤操作防止用カバーを取り除いた場合を示す図である。さらに、図４は、図２に示す術者用椅子の誤操作防止用カバーがロックされた状態を示す図であり、図４（Ａ）は斜視図であり、図４（Ｂ）は上部から見た図である。
【００１９】
図２、図４に示すように、ペダル２０を覆うように、誤操作防止用カバー部材３０が進退可能に設けられている。本実施形態では、この誤操作防止用カバー部材３０は、支柱部となるガスシリンダ１０を挿通可能な貫通孔３４を術者用椅子１の中心部に有し、複数の脚１１の上部に設けた足置き１３の上部に沿って回動可能に設けられている。誤操作防止用カバー部材３０は板状の部分を有し、板状の部分が例えばねじりコイルばねからなる第１バネ部材６０によって、ペダル２０を覆う位置に付勢されている。また、誤操作防止用カバー部材３０の周辺部３３は円弧状に断面この字型に折り曲げられている。この字型に折り曲げられた底面が足置き１３と接する部分には、摩擦抵抗を少なくするための加工を施しておくとよい。
【００２０】
誤操作防止用カバー部材３０の付勢方向の反対側には、誤操作防止用カバー部材３０をロックするための例えば板状のロック用板状部材４０が脚１１に対して固定されている。ロック用板状部材４０は誤操作防止用カバー部材３０よりも下側に重なるように設けられる。第１バネ部材６０の本体のコイル部分とその一端はロック用板状部材４０に支持されており、第１バネ部材６０の他端は誤操作防止用カバー部材３０に支持されている。このため、誤操作防止用カバー部材３０をロック用板状部材４０側に回動させる場合は、誤操作防止用カバー部材３０には、第１バネ部材６０によって静止位置に戻ろうとする力が加わる。
【００２１】
また、誤操作防止用カバー部材３０には案内ピン３２が下方に向けて植設されており、案内ピン３２がロック用板状部材４０に設けた円弧状のガイド孔４２内に挿入されている。これにより、誤操作防止用カバー部材３０の回動可能な角度範囲が規制される。誤操作防止用カバー部材３０の静止位置では、案内ピン３２がガイド孔４２のペダル２０側に当接し、第１バネ部材６０によって付勢された誤操作防止用カバー部材３０は、ペダル２０を覆う位置に静止するようになっている。
【００２２】
ロック用板状部材４０には孔４１が設けられており、孔４１を通して後述する鉤状部材５７の先端部５７Ａが上方に突出できるようになっている。一方、誤操作防止用カバー部材３０の下面には係止片３１が設けられており、誤操作防止用カバー部材３０をロック用板状部材４０の方向（図１（Ａ）の矢印Ａ方向）に回動した際に、図４に示すように誤操作防止用カバー部材３０の係止片３１が鉤状部材５７の先端部５７Ａに引っ掛かり、誤操作防止用カバー部材３０がその位置でロックされるようになっている。誤操作防止用カバー部材３０に設けた係止片３１とロック用板状部材４０に設けた鉤状部材５７が、本発明のロック機構を構成する。
【００２３】
誤操作防止用カバー部材３０がロックされた状態では、図４（Ｂ）で示すように、ペダル２０が誤操作防止用カバー部材３０によって覆われず、術者はペダル２０を踏み込むことができる。また、誤操作防止用カバー部材３０の案内ピン３２は、ロック用板状部材４０に設けたガイド孔４２内のペダル２０から遠いに箇所に位置し、第１バネ部材６０は圧縮された状態となっている。
【００２４】
なお、高さ調整用のペダル２０を誤操作防止用カバー部材３０で覆い、安全を確保しても、ペダル２０の操作後に誤操作防止用カバー部材３０を戻し忘れることで、安全が確保されないケースがある。このため、本実施形態では、操作後に自動的にペダル２０が誤操作防止用カバー部材３０で覆われるようにしている。すなわち、鉤状部材５７は、リンク機構によってペダル２０の所定の操作と連動して動作し、ペダル２０が跳ね上がることによって鉤状部材５７が動作し、誤操作防止用カバー部材３０に設けた係止片３１との係止状態が解除されるようになっている。以下、このリンク機構について説明する。図５は、図２に示す術者用椅子を側面から見た図であり、図６は、図２に示す術者用椅子を底部から見た図である。また、図７は、図２に示す術者用椅子の誤操作防止用カバーのロック機構の動作を説明するための模式図である。
【００２５】
リンク機構は、アーム２１の動きに連動する第１リンク部材５１と、この第１リンク部材の動きに連動する第２リンク部材５４からなっている。第１リンク部材５１は、ロック用板状部材４０の下面に設けた第１支持部材５３の先端の軸５２に軸支された棒状の部材であり、その一端側の端部５１Ａがアーム２１の上部に載置され、他端側の端部５１Ｂが第２リンク部材５４の下側の略水平方向に延びる端部５４Ａ上に載置されている。第２リンク部材５４は、略Ｚ形状をしており、その中央部がロック用板状部材４０の下面に設けた第２支持部材５６の軸５５に軸支されている。
【００２６】
また、鉤状部材５７は、ロック用板状部材４０の下面に設けた第３支持部材５９の軸５８に軸支されており、その一端の先端部５７Ａは、ロック用板状部材４０に設けた孔４１を通してロック用板状部材４０の上方に突出できるようになっている。鉤状部材５７の先端部５７Ａと反対側の端部５７Ｂには、先端部５７Ａを上方に突出させる方向に付勢する第２バネ部材７０がロック用板状部材４０の下面との間に設けられている。さらに、鉤状部材５７の端部５７Ｂの第２バネ部材７０の反対側には、第２リンク部材５４の上側の略水平方向に延びる端部５４Ｂが当接している。
【００２７】
次に、術者用椅子１の操作について説明する。図７（Ａ）に示す状態は、ペダル２０が誤操作防止用カバー部材３０によって覆われており、術者が誤ってペダル２０を踏むことを防止している状態を示している。この状態から、術者が術者用椅子１の座部２の高さ調整を行おうとする場合、まず、誤操作防止用カバー部材３０をロック用板状部材４０側である矢印方向に靴裏などを利用して滑らせる。このため、誤操作防止用カバー部材３０の上面は、摩擦力を大きくするために滑り止めなどを施しておくとよい。
【００２８】
誤操作防止用カバー部材３０がロック用板状部材４０側に移動すると、誤操作防止用カバー部材３０に設けた係止片３１が鉤状部材５７の先端部５７Ａに当接する。鉤状部材５７の先端部５７Ａのペダル２０側の面が傾斜面となうように構成されているため、誤操作防止用カバー部材３０がさらに移動すると、係止片３１が第２バネ部材７０の弾性力に抗して先端部５７Ａを下方に押し下げる。そして、係止片３１が先端部５７Ａを乗り越えると、鉤状部材５７の先端部５７Ａはロック用板状部材４０よりも上方に突出した位置に戻る。また、誤操作防止用カバー部材３０が、係止片３１が先端部５７Ａを乗り越えた位置から少し移動したところで、誤操作防止用カバー部材３０に設けた案内ピン３２がガイド孔４２の端部に当たるため、誤操作防止用カバー部材３０はそれ以上に回動することはできない。
【００２９】
ここで、誤操作防止用カバー部材３０から足を離し、回動動作を終了すると、誤操作防止用カバー部材３０は第１バネ部材６０の弾性力によって戻ろうとする。しかし、鉤状部材５７の先端部５７Ａが第２バネ部材７０の弾性力によってロック用板状部材４０よりも上方に突出しているため、図７（Ｂ）に示すように、誤操作防止用カバー部材３０の係止片３１が鉤状部材５７の先端部５７Ａに係止され、誤操作防止用カバー部材３０がロックされる。このため、ペダル２０が露出した状態となり、術者がペダル２０を押し下げることが可能となる。
【００３０】
この状態で、術者がペダル２０を押し下げると、アーム２１が押し下げられ、先述したように、ガスシリンダ１０のプッシュロッドが押し込まれ、ガスシリンダ１０内の制御弁が開放されてガスシリンダ１０の伸縮動作が行えるようになる。一方、図７（Ｂ）に示すように、ペダル２０を押し下げた際に、第１リンク部材５１のアーム２１は、反時計方向に回転しようとする。しかし、第１リンク部材５１の端部５１Ｂは第２リンク部材５４の下側の水平方向に延びる端部５４Ａの上に載置されているため、第１リンク部材５１の反時計方向の回動動作は第２リンク部材５４に伝わらない。このため、第１リンク部材５１、鉤状部材５７はペダル２０の押し下げ動作に関係なくその位置を保持したままとなり、誤操作防止用カバー部材３０のロック状態は維持される。
【００３１】
次に、術者が、座部２の高さ調整を終えて、ペダル２０を押し下げた状態から、足を離すと、ペダル２０は図示しないバネ部材の反発力によって跳ね上がろうとする。ペダル２０が静止位置を超えて戻る際には、ガスシリンダ１０のプッシュロッドは押し込まれた状態から復帰するため、ガスシリンダ１０は伸縮不能となり、調整した高さに座部２は維持される。
【００３２】
一方、ペダル２０が跳ね上がることによって、第１リンク部材５１は、図７（Ｃ）で示すように、軸５２を中心に時計方向に回動しようとする。第１リンク部材５１の第２リンク部材５４側の端部５１Ｂは、第２リンク部材５４の下側の端部５４Ａに載置されているため、第１リンク部材５１が時計方向に回動すると、第２リンク部材５４の一方の端部５４Ａを押し下げる。これによって、第２リンク部材５４は軸５５を中心に反時計方向に回動しようとする。そして、第２リンク部材５４の他方の端部５４Ｂ側に接する鉤状部材５７の端部５７Ｂを第２バネ部材７０に抗して押し上げようとする。
【００３３】
そのため、鉤状部材５７は軸５８を中心に反時計方向に回動し、鉤状部材５７の先端部５７Ａがロック用板状部材４０の孔４１内に沈み込み、誤操作防止用カバー部材３０の係止片３１と鉤状部材５７の先端部５７Ａとの係止状態（ロック状態）が解除される。誤操作防止用カバー部材３０は、図７（Ｃ）のペダル２０側（矢印方向）に向けて回動し、図７（Ａ）に示す静止位置まで自動的に戻る。なお、第１バネ部材６０の強さは、誤操作防止用カバー部材３０が静止位置に戻る際に、ペダル２０に衝突しないように調整される。このように、本実施形態では、操作後に自動的にペダル２０が誤操作防止用カバー部材３０で覆われるようになっているため、意図しない、座部の下降を確実に防止できる。
【符号の説明】
【００３４】
１…術者用椅子、２…座部、３…支柱、４…背当て、５…肘受、１０…ガスシリンダ、１１…脚、１２…キャスタ、１３…足置き、２０…ペダル、２１…アーム、３０…誤操作防止用カバー部材、３１…係止片、３２…案内ピン、３３…周辺部、３４…貫通孔、４０…ロック用板状部材、４１…孔、４２…ガイド孔、５１…第１リンク部材、５１Ａ…端部、５１Ｂ…端部、５２…軸、５３…第１支持部材、５４…第２リンク部材、５４Ａ…端部、５４Ｂ…端部、５５…軸、５６…第２支持部材、５７…鉤状部材、５７Ａ…先端部、５７Ｂ…端部、５８…軸、５９…第３支持部材、
６０…第１バネ部材、７０…第２バネ部材。
【図１】
0006690235.tif 000002
【図２】
0006690235.tif 000003
【図３】
0006690235.tif 000004
【図４】
0006690235.tif 000005
【図５】
0006690235.tif 000006
【図６】
0006690235.tif 000007
【図７】
0006690235.tif 000008